(57)【要約】      （修正有）【課題】モニターを異なるレベルに持ち上げ、且つモニターの展開角度をも自由に変えることができるモニター支持装置を提供する。【解決手段】底座１と、該底座１から直立するように取り付けることができる支柱２と、該支柱２を軸芯として回転したり上下摺動したりされ得るように取り付けられ、且つ、支柱２に取り付けると支柱２から張り出してそれぞれモニターを支持できる両腕３，４を有する支持枠１００とから組み立てられてなるモニター支持装置において、支持枠１００は、前記両腕をそれぞれ有する両腕部に分離でき、且つ、支柱２上に取り付けられると、前記両腕部がそれぞれ支柱２に回転や上下摺動を行われ得るように構成されていることを特徴とする。【選択図】図３
0003148195.tif 000002
【実用新案登録請求の範囲】
【請求項１】
底座と、
前記底座に、該底座から直立するように取り付けられることができる支柱と、
前記支柱に、該支柱を軸芯として回転したり上下摺動したりされ得るように取り付けられ、且つ、前記支柱に取り付けられると該支柱から張り出してそれぞれモニターを支持できる両腕を有する支持枠と、
から組み立てられてなるモニター支持装置において、前記支持枠は、前記両腕をそれぞれ有する両腕部に分離でき、且つ、前記支柱上に取り付けられると、前記両腕部がそれぞれ前記支柱に前記回転や上下摺動を行われ得るように構成されていることを特徴とするモニター支持装置。
【請求項２】
前記支持枠は、前記両腕の間に前記支柱を軸芯として回転したり上下摺動したりされ得るスリーブを有し、
該スリーブは、それぞれ前記両腕の一つのみに連続して前記両腕部の一つとなっている上下二部分に分けられていて、それにより前記両腕部のいずれも前記支柱に独立に取り付けられ得ることを特徴とする請求項１に記載のモニター支持装置。
【請求項３】
前記上下二部分には、それぞれの該上下二部分における相応の部分を前記支柱に解除可能に固定することができる固定機構が構成されていることを特徴とする請求項２に記載のモニター支持装置。
【請求項４】
前記両腕には、それぞれ自在継ぎ手を介してモニターを保持することができるモニター取付け部が設けられており、
また、前記モニター取付け部は、前記両腕における相応の腕に沿って自由に移され得るように構成されていることを特徴とする請求項３に記載のモニター支持装置。
【請求項５】
前記支持枠における両腕部のいずれかと同様なものを更に少なくとも一つ備えていることを特徴とする請求項１〜４のいずれか一項に記載のモニター支持装置。
【請求項６】
前記底座は、前記支持枠の両腕部が組み立てられたモニター支持装置から一つ取り外されて他の一つでモニターを保持しても、モニターを穏やかに保持することができるように構成されていることを特徴とする請求項１〜４のいずれか一項に記載のモニター支持装置。
【請求項７】
前記モニター支持装置が組立てられてから、その支持枠の両腕部が一つ取り外されて他の一つが残っていない請求項６に記載のモニター支持装置。
【考案の詳細な説明】
【技術分野】
【０００１】
本考案は、モニター支持装置に関し、特に、その支柱から少なくとも両腕を張り出していてそれらで複数のモニターを同時に保持することができるモニター支持装置に関する。
【背景技術】
【０００２】
近年来、その支柱から少なくとも両腕を張り出していてそれらで複数のモニターを同時に保持することができるモニター支持装置が歓迎されてよく使用されている。
【０００３】
このタイプのモニター支持装置は、通常、底座と、支柱と、支持枠とから取り付けられてなる。図１及び図２に示すように、底座９１は、支柱９２と支持枠９３と支持枠９３が保持するモニター（図示せず）とを穏やかに保持できる台座である。支柱９２は、底座９１の上面中心から直立になっている丸棒である。また、支持枠９３は、支柱９２に該支柱９２を軸芯として回転したり上下摺動したりされ得るように取り付けられ得る上、それぞれ一台のモニター（図示せず）を左右移動可能に保持できる両腕９３１、９３２を支柱９２から反対の両側へ張り出す構造になっている。
【０００４】
このようなモニター支持装置では、モニターを左右二台保持し、この二台のモニターを同時に使用することができるものの、左右二台のモニターを同一レベルに持ち上げ、且つ所定の角度で展開しなければならず、需要に応じて自由に調整することができず、使用にやはり不便である。
【考案の開示】
【考案が解決しようとする課題】
【０００５】
前記問題点を解除すべく、本考案は、それが保持するモニターを異なるレベルに持ち上げ、且つモニターの展開角度をも自由に変えることができるモニター支持装置を提供しようとすることを目的とする。
【課題を解決するための手段】
【０００６】
前記目的を達成するために、本考案は、底座と、前記底座に、該底座から直立するように取り付けられることができる支柱と、前記支柱に、該支柱を軸芯として回転したり上下摺動したりされ得るように取り付けられ、且つ、該支柱に取り付けられると該支柱から張り出してそれぞれモニターを支持できる両腕を有する支持枠とから組み立てられてなるモニター支持装置において、前記支持枠は、前記両腕をそれぞれ有する両腕部に分離でき、且つ、前記支柱上に取り付けられると、前記両腕部がそれぞれ前記支柱に前記回転や上下摺動を行わせられ得るように構成されているモニター支持装置を提供する。
【０００７】
前記モニター支持装置の実施形態例として、前記支持枠は、前記両腕の間に前記支柱を軸芯として回転したり上下摺動したりされ得るスリーブを有し、該スリーブは、それぞれ前記両腕の一つのみに連続して前記両腕部の一つとなっている上下二部分に分けられていてそれにより前記両腕部のいずれも前記支柱に独立に取り付けられ得るものが挙げられる。
【０００８】
また、前記底座は、前記支柱と前記支持枠と前記支持枠が保持するモニターとを穏やかに保持できるばかりでなく、前記支持枠の両腕部が組み立てられたモニター支持装置から一つ取り外されて他の一つでモニターを保持しても、穏やかに保持することができるように構成されることが好ましい。
【考案の効果】
【０００９】
前記考案によるモニター支持装置は、その両腕を有する支持枠全体が、両腕をそれぞれ有する両腕部に分離でき、且つ、前記支柱上に取り付けられると、前記両腕部がそれぞれ前記支柱に前記回転や上下摺動を行われ得るように構成されているので、独立の回転や摺動により両腕のそれぞれで保持するモニターのレベル及び二台のモニターの間の展開角度を自由に調整することができる。
【００１０】
また、前記モニター支持装置における底座は、前記支持枠の両腕部が組み立てられたモニター支持装置から一つ取り外されて他の一つでモニターを保持しても、穏やかに保持することができるように構成されると、組み立てられたモニター支持装置に、モニターを逐一に取り付けたりまたは取り付けられた二台を逐一に取り外したりしても、過程が穏やかで安心に行うことができる。それに、場合により、支持枠の両腕部が一つのみ取り付けられているモニター支持装置を提供することもできる。
【００１１】
また、前記モニター支持装置に、前記支持枠における両腕部のいずれかと同様なものを更に少なくとも一つ備えると、モニターを三台、乃至三台以上を保持し、三台、乃至三台以上のモニターを同時に使用することもできる。
【考案を実施するための最良の形態】
【００１２】
以下、図３〜図８に示すモニター支持装置を例として本考案のモニター支持装置を説明する。
【００１３】
図３は、本考案の第一の実施形態例のモニター支持装置が組み立てられた後の斜視図であり、図４は、前記モニター支持装置の分解構成斜視図である。
【００１４】
前記図３及び図４から分かるように、本考案のモニター支持装置は、主に、底座１と、支柱２と、支持枠１００との三つの部品から組み立てられてなる。底座１は、支柱２と支持枠１００と支持枠１００が保持するモニター（図示せず）とを穏やかに保持できる台座である。支柱２は、底座１から直立するように取り付けられる丸棒である。支持枠１００は、支柱２に支柱２を軸芯として回転したり上下摺動したりされ得るように取り付けられ、且つ、支柱２に取り付けられると支柱２から張り出してそれぞれモニターを支持できる両腕３２、４２を有する構造になっている。
【００１５】
即ち、この実施形態例のモニター支持装置は、組み立てられた後、図３に示すように、従来のモニター支持装置と同様に、底座１と、底座１から直立している支柱２と、支柱２に、該支柱２を軸芯として回転したり上下摺動したりされ得、且つ、該支柱から張り出してそれぞれモニターを支持できる両腕を有するように設置構成されている支持枠１００とからなっているが、図４に示すように、その支持枠１００は、更に、両腕３２、４２をそれぞれ有する両腕部３、４に分離でき、且つ、支柱２に取付けられると、両腕部３、４がそれぞれ支柱２に軸芯として前記回転や上下摺動を行われ得るように構成されている。
【００１６】
ここから、なるべく組み立てられたものを基準として説明するが、部品そのものを説明する場合、まだ組み込まれていない独立体の状態で説明することもある。
【００１７】
図面をもっと詳しくみると、支持枠１００は、従来のように、両腕３２、４２の間に支柱２を軸芯として回転したり上下摺動したりされ得るスリーブ（３１、４１）を有するが、該スリーブ（３１、４１）は、それぞれ前記両腕の一つのみに連続して両腕部３、４の一つとなっている上下二部分（上スリーブ３１と下スリーブ４１）に分けられており、即ち、上スリーブ３１は腕３２に連続して腕部３となっており、下スリーブ４１は腕４２に連続して腕部４となっているので、両腕部３、４のいずれも支柱２に独立に取り付けられることができる。
【００１８】
もっと詳しく説明すると、腕部３における上スリーブ３１は、腕３２の端縁における上寄りの一部から支柱２の外周をほぼ一回りをしてから戻り、腕３２の端縁近くと少々重なるように伸びてなった、支柱２を軸芯として回転することができるリング状のものであって、リング状の摩擦手段７を介して支柱２を囲んでいる。また、上スリーブ３１の末端部と腕３２の端縁近くとの互いに重なっている部分には締付け手段６が取り付けられていて締付け手段６の締付けにより支柱２に解除可能に固定されている。即ち、締付け手段６の締付けが解除されると、上スリーブ３１は、腕部３を伴って支柱２を軸芯として回転や上下摺動を行われ得るようになる。
【００１９】
腕３２には、図４に示ように、自在継ぎ手５２を介してモニターを保持することができるモニター取付け部５が、腕３２に沿って腕３２の中央に形成された溝３２１に左右摺動可能に設けられている。もっと詳しく説明すると、モニター取付け部５は、その自在継ぎ手５２の反対側に溝３２１を沿って摺動するための摺動部５１が設置され、また、摺動部５１に調整ボルト５１１が付設されている。調整ボルト５１１は、調整紐５１２と、調整紐５１２から突出するように延長してなったボルト５１３とからなる上、ボルト５１３が溝３２１を貫通して摺動部５１に捻じ込んで調整紐５１２で腕３２に突っ張っているので、モニター取付け部５は、腕３２に固定されているが、ボルト５１３の摺動部５１に対する捻じ込みが調整紐５１２の調整により緩まれると、溝３２１に沿って自由に摺動させられ得るようになる。
【００２０】
腕部４は、腕部３とほぼ同じ構造となっているが、腕部４におけるスリーブ４１は、腕４２の端縁における下寄りの一部から伸びてなった、支柱２を軸芯として回転することができるリング状のものであって、支柱２に移されて腕部３における上スリーブ３１と上下重なって一体的なものにみえるようになることができる。即ち、腕部３と腕部４とは、上下二つのスリーブ３１、４１が支柱２に互いに重なるように取り付けられると、腕部３と腕部４とは一体的にみえるようになる上、それらの腕３１と腕４１とも完全に同一レベルに位置するようになっている。また、前記のように、上下二つのスリーブ３１、４１とも支柱２を軸芯として回転することができるので、腕部３と腕部４とは、同一レベルに左右１８０度はもちろん、なんの角度にも展開するように取り付けられてもできる。
【００２１】
この実施形態例においては、設置された後の二台のモニターが両腕部３、４の回転により互いにぶつかることを防ぐために、上スリーブ３１の底面と下スリーブ４１の上面には、それぞれ突起と所定長さを有する切欠（３４及び３３、並びに、４４及び４３）とが一組形成されており、且つ、上スリーブ３１の底面に形成されている突起３４は下スリーブ４１の上面に形成されている切欠４３に伸び込んいてその移動が切欠４３の長さに制限され得、また下スリーブ４１の上面に形成されている突起４４は上スリーブ３１の底面に形成されている切欠３３に伸び込んいてその移動が切欠３３の長さに制限され得るので、モニターを保持する腕３２と腕４２との展開角度がある程度以上に制限されている、
【００２２】
即ち、この実施形態例のモニター支持装置では、モニター取付け部５を介して腕３２及び腕４２それぞれに装着された二台のモニターが、締付け手段６による締付けの解除及び上下二つのスリーブ３１、４１それぞれの支柱２に対する回転及び摺動により、図５及び図６に示すように、異なる高さに位置させられたり、二台の平面からみた展開角度が変えられたりすることができ、また、摺動部５１の溝３２１、４２１に沿う摺動によって左右移動され、自在継ぎ手５２の調整によって上下左右に微動されることができる。
【００２３】
また、図７は、この実施形態例のモニター支持装置に二台のモニターが装着されている状態の一例の斜視図である。
【００２４】
図３及び図４に符号２１で示されているのは、支柱２に固定されている止めリング２１であって、下スリーブ４１の上下摺動を下から止めることにより、腕３２や腕４２に保持されているモニターの不意な落下を防止することができる。
【００２５】
図中に符号２２で示されているのは、支柱２に着脱可能に固定されているコード集めであって、モニターへのコードを纏めるためのものである。
【００２６】
そして、図８に示すのは、本考案の第二の実施形態例のモニター支持装置の斜視図である。
【００２７】
この第二の実施形態例のモニター支持装置は、その仕組みが第一の実施形態例のモニター支持装置とまったく同じであるが、支柱２に支持枠１００の他に、さらに支持枠１００と構成がまったく同じである支持枠２００が設置されている。
【００２８】
即ち、支持枠１００の腕部３と腕部４とからなっていることと同じように、支持枠２００は、腕部３と構成がまったく同じである腕部３００と、腕部４と構成がまったく同じである腕部４００とからなっているので、モニターを四台まで設置され得るようになっている。
【００２９】
なお、前記各実施形態例における底座１は、すべて支柱（２）と支持枠（１００、２００）と支持枠（１００、２００）が保持するモニターとを穏やかに保持できるものであり、モニターが複数であって均一に配置されているのはもちろん、一台しか取り付けられていない状態でも、そうである。
【産業上の利用可能性】
【００３０】
叙上のように、本考案は、独立の回転や摺動により両腕のそれぞれで保持するモニターのレベル及び展開角度を自由に調整することができるモニター支持装置を提供したり、組み立てられたモニター支持装置に、モニターを逐一に取り付けたりまたは取り付けられた二台を逐一に取り外したりしても、過程が穏やかで安心に行えるモニター支持装置を提供したり、場合により、支持枠の両腕部が一つしか取り付けられているモニター支持装置を提供したり、前記モニター支持装置に、前記支持枠における両腕部のいずれかと同様なものを更に少なくとも一つ備えていてモニターを三台、乃至三台以上を保持し、三台、乃至三台以上のモニターを同時に使用することができるモニター支持装置を提供したりすることができる。
【図面の簡単な説明】
【００３１】
【図１】従来例におけるモニター支持装置の背面図である。
【図２】従来例におけるモニター支持装置の平面図である。
【図３】本考案の第一の実施形態例のモニター支持装置が組み立てられた後の斜視図である。
【図４】本考案の第一の実施形態例のモニター支持装置の分解構成斜視図である。
【図５】本考案の第一の実施形態例のモニター支持装置における両腕部が異なるレベルに位置されている状態の背面図である。
【図６】本考案の第一の実施形態例のモニター支持装置が組み立てられた後の平面図である。
【図７】本考案の第一の実施形態例のモニター支持装置に二台のモニターが装着されている状態の一例を示す斜視図である。
【図８】本考案の第二の実施形態例のモニター支持装置が組み立てられた後の斜視図である。
【符号の説明】
【００３２】
１    底座
２    支柱
３    腕部
４    腕部
５    モニター取付け部
６    締付け手段
７    摩擦手段
２１    止めリング
２２    コード集め
３１    上スリーブ
３２    腕
３３    切欠
３４    突起
４１    下スリーブ
４２    腕
４３    切欠
４４    突起
５１    摺動部
５２    自在継ぎ手
１００    支持枠
２００    支持枠
３００    腕部
３２１    溝
４００    腕部
４２１    溝
５１１    調整ボルト
５１２    調整紐
５１３    ボルト
【図１】
0003148195.tif 000003
【図２】
0003148195.tif 000004
【図３】
0003148195.tif 000005
【図４】
0003148195.tif 000006
【図５】
0003148195.tif 000007
【図６】
0003148195.tif 000008
【図７】
0003148195.tif 000009
【図８】
0003148195.tif 000010